(57)【特許請求の範囲】
【請求項１】
透明入力装置と、
前記透明入力装置の入力領域と重なるように前記透明入力装置の裏面側に配置された液晶表示パネルと、
前記透明入力装置の入力領域の一部及び前記液晶表示パネルの一部と重なるように、前記透明入力装置の入力側の面に接着固定され、固定的な表示がなされた固定表示シートと、
偏光板と、を有し
該偏光板は、前記固定表示シートが接着固定された前記透明入力装置の入力領域の一部を避けるようにして前記透明入力装置の入力領域の他の部分と重なり、前記液晶表示パネルの表示領域と重なり、且つ前記固定表示シートと併設して前記透明入力装置の入力側の面に接着固定される
ことを特徴とする入力装置付液晶表示装置。
【請求項２】
前記固定表示シートは、前記透明入力装置の入力側の面に接着固定され、前記偏光板とほぼ等しい薄さを有することを特徴とする請求項１記載の入力装置
付液晶表示装置。
【請求項３】
前記固定表示シートは、表示が印刷された可撓性の薄型素材からなり、前記透明入力装置の入力側の面に接着固定されることを特徴とする請求項１または２に記載の入力装置付液晶表示装置。
【請求項４】
請求項１乃至３のいずれかに記載の入力装置付液晶表示装置を含むことを特徴とする電子機器。
【発明の詳細な説明】
【０００１】
【発明の属する技術分野】
本発明は、入力装置付液晶表示装置及び電子機器に関する。
【０００２】
【背景技術及び発明が解決しようとする課題】
２枚の基板の間に液晶を封入してなる液晶表示パネルと、この液晶表示パネルの表示画面側に重ねて設けられた入力装置を有する入力装置付液晶表示装置において、従来より、シート状部材にアイコンが印刷されたアイコンシートを用いて、表示領域の一部に固定的なアイコンを表示することが知られている。この場合、アイコンシートは、液晶表示パネルと入力装置の間に配置される。
【０００３】
ところで、液晶表示パネルには、通常、この液晶表示パネルを挟むように一対の偏光板が取り付けられる。そして、入力装置付液晶表示装置においては、表示画面における外光の反射を抑制する等の目的で、一対の偏光板のうち表示画面側の偏光板を入力装置の上に配設する場合がある。
【０００４】
しかし、アイコンシートが使用されている場合に、入力装置の上に重ねて偏光板が取り付けられると、印刷されたアイコンが暗く見え、アイコン表示部の見栄えが良くないという問題があった。
【０００５】
本発明は、上記課題に鑑みてなされたものであり、その目的は、見栄えの良いアイコン表示が可能な入力装置付液晶表示装置及び電子機器を提供することにある。
【０００６】
【課題を解決するための手段】
上記課題を解決するため、請求項１記載の発明は、透明入力装置と、前記透明入力装置の入力領域と重なるように前記透明入力装置の裏面側に配置された液晶表示パネルと、
前記透明入力装置の入力領域の一部及び前記液晶表示パネルの一部と重なるように、前記透明入力装置の入力側の面に接着固定され、固定的な表示がなされた固定表示シートと、偏光板と、を有し該偏光板は、前記固定表示シートが接着固定された前記透明入力装置の入力領域の一部を避けるようにして前記透明入力装置の入力領域の他の部分と重なり、前記液晶表示パネルの表示領域と重なり、且つ前記固定表示シートと併設して前記透明入力装置の入力側の面に接着固定されることを特徴とする。
【０００７】
本発明によれば、偏光板が固定表示部の上方領域を避けて取り付けられることから、固定表示部に設けられた表示が明るく鮮明に見える。このため、固定的な表示がなされる固定表示部の見栄えが向上し、全体として見栄えの良い入力装置付液晶表示装置を得ることができる。
【０００８】
さらに、偏光板が入力装置の入力側の面に取り付けられることから、入力側の面における外光反射が少なく、見やすい液晶表示を実現することができる。
【０００９】
請求項２記載の発明は、請求項１に記載の入力装置付液晶表示装置において、前記固定表示シートは、前記透明入力装置の入力側の面に接着固定され、前記偏光板とほぼ等しい薄さを有することを特徴とする。
【００１０】
また、前記固定表示部は、表示が印刷された可撓性の薄型素材からなり、前記透明入力装置の表面側に配置されることを特徴とする。
【００１１】
請求項３記載の発明は、請求項２に記載の入力装置付液晶表示装置において、前記固定表示シートは、表示が印刷された可撓性の薄型素材からなり、前記透明入力装置の入力側の面に接着固定されることを特徴とする。
【００１３】
本発明の電子機器は上記のうちいずれかの入力装置付液晶表示装置を含むこと、を特徴とする。
【００１４】
この発明によれば、見栄えの良い入力装置付液晶表示装置を有することから、見栄えの良い固定表示部を有する電子機器を簡単に得ることができる。
【００１５】
【発明の実施の形態】
次に、本発明の好適な実施形態を図面を参照しつつ説明する。
【００１６】
図２は、本発明にかかる電子機器の例を示す正面図である。
【００１７】
同図において、電子機器は電子手帳５０であり、薄型の直方体状をなす本体５２の一方の面に、表示画面５４が形成されている。この表示画面５４は、アイコンが印刷表示によって固定的に表示された固定表示領域１２と、液晶表示によって種々の表示が可能な液晶表示領域１４と、に分かれる。また、表示画面５４のいずれの領域１２，１４においても、画面に直接触れて入力できるようになっている。
【００１８】
ここで、この表示画面５４を形成する入力装置付液晶表示装置の模式的断面図を図１に示す。
【００１９】
同図において、入力装置付液晶表示装置１０は、液晶表示パネル２０の一方の面２０ａの一部を覆うように固定表示部４０が形成され、面２０ａ及び固定表示部４０に対面させて透明な入力装置３０が配設され、この入力装置３０の入力側の面３０ａに第一の偏光板４２が取り付けられ、さらに、液晶表示パネル２０の他方の面２０ｂに第二の偏光板４４及び反射板４６が層状に配設されて形成される。
【００２０】
より詳しくは、液晶表示パネル２０は、透明な上側基板２２及び下側基板２４の間に、シール材２６によって液晶２８を封入して形成される。ここで、上側基板２２及び下側基板２４は、ガラスや硬質プラスチック等からなり、液晶２８に対面する面には、ＩＴＯ（Indium Tin Oxide）等からなる図示しない透明電極が配設されている。また、上側基板２２と下側基板２４との間には、２枚の基板２２，２４の間隔を一定に維持するための図示しない透明なスペーサが配設されている。液晶２８としては、ＳＴＮ形の液晶が使用されている。なお、液晶２８としては、ＳＴＮ形の他に、例えば、ＴＮ形、ゲストホスト形、高分子分散形、相転移型、強誘電形等、種々の電気光学特性を有する液晶を使用して良い。
【００２１】
固定表示部４０は、薄型素材の一方の面に所定のアイコンが予め印刷されたアイコンシートからなり、液晶表示パネル２０の上側基板２２からなる面２０ａの一部を覆う大きさに形成される。アイコンシートの材質や性質は特に問わず、硬質でも、可撓性でも良い。また、印刷されるアイコンの数や形態は、必要に応じて任意に定め得る。そして、アイコンが印刷された面を入力装置３０の方に向けて、面２０ａの上に接着固定される。
【００２２】
入力装置３０は、互いに対面する透明な第一基板３２及び第二基板３４が、シール材３６及び図示しない透明なスペーサを介して所定間隔をおいて固定されて形成される。ここで、第一基板３２は、プラスチックフィルム等の可撓性の薄型素材からなり、第二基板３４は、硬質プラスチックやガラス等の硬質素材によって形成される。
【００２３】
なお、第一基板３２及び第二基板３４の互いに対面する面には、ＩＴＯ（Indium Tin Oxide）等からなる図示しない透明電極が配設される。そして、各基板３２、３４に取り付けられた透明電極は、ドットスペーサによって、常態では互いに接触しないようになっている。
【００２４】
なお、両基板３２，３４の間に、シリコーンオイル等を封入しても良い。
【００２５】
第一の偏光板４２は、可撓性を有し、入力装置３０の入力側の面３０ａよりも小さく形成される。そして、固定表示部４０の上方領域を避けて、入力側の面３０ａに接着固定される。その他の点については、周知の構成が採用される。この偏光板４２で覆われた領域が液晶表示領域１４に相当し、固定表示部４０の上方領域が固定表示領域１２に相当する。
【００２６】
第二の偏光板４４及び反射板４６の構成及び使用態様は、周知であるため、ここでは詳しい説明を省略する。
【００２７】
このような構成を有することにより、印刷表示されたアイコンの見栄えが良く、見やすい入力装置付液晶表示装置１０及び電子手帳５０を得ることができる。
【００２８】
つまり、固定表示部４０の上方領域に第一の偏光板４２がないことから、入力装置３０を通して固定表示部４０が明るく鮮明に見え、見栄えが良くなる。
【００２９】
また、入力装置３０の入力側の面３０ａに第一の偏光板４２が取り付けられることから、入力側の面３０ａにおける外光反射が減少し、液晶表示が見やすくなる。
【００３０】
更に、アイコンシートを用いることから、任意の位置に簡単に固定表示部を形成することができ、固定表示部を有する入力装置付液晶表示装置１０等の製造が容易となる。
【００３１】
次に、図３は、本発明にかかる入力装置付液晶表示装置の実施形態を示す模式的断面図である。
【００３２】
同図において、入力装置付液晶表示装置６０は、図１に示す入力装置付液晶表示装置１０とほぼ同じ構成を有する。よって、入力装置付液晶表示装置１０と共通する構成要素については、図１と同じ符号を付して、詳しい説明を省略する。
【００３３】
具体的には、入力装置付液晶表示装置６０は、液晶表示パネル２０の一方の面２０ａに間隔をおいて対面して入力装置３０が配置され、この入力装置３０の入力側の面３０ａの上に、第一の偏光板４２及び固定表示部６６が併設されて形成される。また、液晶表示パネル２０の他方の面２０ｂに対面して、第二の偏光板４４及び反射板４６が層状に配設されている。
【００３４】
ここで、固定表示部６６は、アイコンシートであり、プラスチックフィルム等の可撓性の薄型素材を用いて形成される。その大きさは、入力側の面３０ａ及び液晶表示パネル２０の面２０ａよりも小さく設定され、面２０ａの一部を覆うように、入力側の面３０ａにおける第一の偏光板４２が避けた領域に接着固定される。また、アイコンシートの薄さは、併設される第一の偏光板４２の薄さとほぼ等しくなるように設定される。
【００３５】
このような構成によっても、上述した入力装置付液晶表示装置１０と同様の作用・効果を達成することができる。
【００３６】
特に、本実施形態の場合は、固定表示部６６の上方領域を遮るものが何もないことから、印刷表示されたアイコンが一層鮮明に見える。また、偏光板４２が避けた領域を利用して固定表示部６６が設けられ、固定表示部６６と第一の偏光板４２とがほぼ同じ薄さをなすことから、両者の境界が目立たない。
【００３７】
また、固定表示部６６を形成するアイコンシートが可撓性を有することから、入力装置３０の入力側の面３０ａに設けても、入力の妨げとならない。
【００３８】
なお、本発明の実施形態は、上述の例に限定されるものではなく、発明の範囲内において種々の変形が可能である。
【００３９】
例えば、アイコン、単なる文字、装飾その他の表示を、液晶表示パネルの上側基板や入力装置の２枚の基板のいずれかの表面に直接印刷して、固定表示部を形成することもできる。
【００４０】
また、入力装置の入力側の面に取り付けられた偏光板の上に重ねて固定表示部を設けても良い。
【００４１】
あるいは、図１及び図３に示す各実施形態において、第二の偏光板４４に代えて、受けた光のうち所定周波数の光を反射し、他の周波数の光を透過する反射偏光子を用いることもできる。この場合には、反射板を省略することもできるため、一層薄型の入力装置付液晶表示装置を得ることが可能となる。
【００４２】
さらに、本発明にかかる電子機器としては、上述の電子手帳の他、ワード・プロセッサやパーソナル・コンピュータ、携帯用情報端末機等を挙げることができる。
【図面の簡単な説明】
【図１】  本発明にかかる入力装置付液晶表示装置を示す模式的断面図である。
【図２】  本発明にかかる電子機器の例を示す正面図である。
【図３】  本発明にかかる入力装置付液晶表示装置の実施形態を示す模式的断面図である。
【図１】
0003708698.tif 000002
【図２】
0003708698.tif 000003
【図３】
0003708698.tif 000004